(57)【要約】【課題】  見栄えが良好で、かつ、作業性が良好な開閉足場を備える印刷機を提供することを目的とする。【解決手段】  印刷ユニット１７ａの印刷紙搬送方向に隣り合って配置され、印刷ユニット１７ａに沿って延びる支持ピン６１周りに、略上下方向に沿う開放位置Ｋと略水平方向に沿う閉鎖位置Ｈとの間で揺動可能に設けられた開閉足場５３を備えている枚葉印刷機１であって、開閉足場５３は箱型構造とされ、開放位置Ｋにおいて印刷ユニット１７ａ側の足場面７５が印刷ユニット１７ａの外側面に近接するように構成されていることを特徴とする。【選択図】      図２
2007229968.tif 000002
【特許請求の範囲】
【請求項１】
印刷ユニットの印刷紙搬送方向に隣り合って配置され、該印刷ユニットに沿って延びる枢支軸周りに、略上下方向に沿う開放位置と略水平方向に沿う閉鎖位置との間で揺動可能に設けられた開閉足場を備えている印刷機であって、
前記開閉足場は箱型構造とされ、前記開放位置において前記印刷ユニット側の足場面が前記印刷ユニットの外側面に近接するように構成されていることを特徴とする印刷機。
【請求項２】
前記外側面は、前記印刷ユニットの内部の所定部分を外部から遮るように前記開閉足場に隣り合って設置されたカバーとされ、かつ、前記開閉足場の外形が該カバーの外形の延長部を構成していることを特徴とする請求項１に記載の印刷機。
【請求項３】
前記枢支軸はフレームに支持され、
前記開閉足場は、揺動先端部が前記枢支軸に対して接近離隔するように移動可能とされていることを特徴とする請求項１または請求項２に記載の印刷機。
【請求項４】
前記枢支軸と前記開閉足場との間に圧縮ばねが介装されていることを特徴とする請求項３に記載の印刷機。
【請求項５】
前記圧縮ばねの最大荷重は、前記開閉足場の重量よりも小さく設定されていることを特徴とする請求項４に記載の印刷機。
【請求項６】
前記枢支軸は、前記開閉足場の両側に取り付けられていることを特徴とする請求項１から請求項５のいずれかに記載の印刷機。
【請求項７】
前記開放位置における前記開閉足場の閉鎖方向への移動を規制する開放位置回り止め部と、前記閉鎖位置における前記開閉足場の閉鎖方向への移動を規制する閉鎖位置回り止め部とを有するストッパが備えられていることを特徴とする請求項３から請求項６のいずれかに記載の印刷機。
【発明の詳細な説明】
【技術分野】
【０００１】
本発明は、開閉足場を備えた印刷機に関するものである。
【背景技術】
【０００２】
印刷機には、特許文献１に示されるように印刷ユニットの前後に作業用の開閉足場が備えられている。
この開閉足場として、例えば、図８に示されるものがよく用いられている。
これは、印刷ユニット１０１の前あるいは後に、固定足場１０３が取り付けられ、固定足場１０３の先端部に開閉足場１０５が揺動可能に取り付けられている。
開閉足場１０５は板状体であり、強度を保持するために、先端部が上方に向かい折曲されるとともに裏面に断面Ｕ字状をした補強部材１０７が取り付けられている。
また、先端部下面には操作用に把手１０９が取り付けられている。開閉足場１０５の操作側端部には、ストッパ１１１が揺動自在に取り付けられている。開閉足場１０５はストッパ１１１に設けられた凹部１１３がストッパピン１１５に係合することによって開放位置（図８に実線で示した位置）に保持されている。
【０００３】
【特許文献１】特開平１０−３１５４４０号公報
【発明の開示】
【発明が解決しようとする課題】
【０００４】
開閉足場を開放した状態（開放位置）で印刷作業が行なわれるものであるが、図８に示される開閉足場１０５は、開放位置において印刷ユニット１０１から離れて単独に存在するので、その存在が目立つ。また、裏面の補強部材１０７、把手１０９が剥き出し状態であることもあって、見栄えがよくない。
また、開閉足場１０５の開閉動作は、把手１０９を握ってストッパ１１１とストッパピン１１５とを係合させあるいは係合解除させて行なうため、ストッパ１１１を設けた操作側でしか行なうことができない。また、開放位置近辺では、開閉足場の重量がそのまま作業負荷としてかかることもあり、作業性が不十分である。
【０００５】
本発明は、上記問題点に鑑み、見栄えが良好で、かつ、作業性が良好な開閉足場を備える印刷機を提供することを目的とする。
【課題を解決するための手段】
【０００６】
上記課題を解決するために、本発明は以下の手段を採用する。
すなわち、本発明にかかる印刷機は、印刷ユニットの印刷紙搬送方向に隣り合って配置され、該印刷ユニットに沿って延びる枢支軸周りに、略上下方向に沿う開放位置と略水平方向に沿う閉鎖位置との間で揺動可能に設けられた開閉足場を備えている印刷機であって、前記開閉足場は箱型構造とされ、前記開放位置において前記印刷ユニット側の足場面が前記印刷ユニットの外側面に近接するように構成されていることを特徴とする。
【０００７】
このように、開閉足場は箱型構造とされているので、それ自体で十分な強度を保持することができる。また、強度の補強が必要な場合には箱型構造の内部を用いて行なうことができる。このため、開閉足場は外側に突出した部材をなくすことができるので、外見を整然とさせることができる。
また、開放位置において印刷ユニット側の足場面が印刷ユニットの外側面に近接するようにされているので、印刷作業中に開閉足場が開放位置に位置された場合に、開閉足場は印刷ユニットと一体的に構成されているように見られ、目立つことがない。
このように、開閉足場は外見が整然とし、かつ、目立つことがないので、印刷機の見栄えを向上させることができる。
【０００８】
また、本発明にかかる印刷機では、前記外側面は、前記印刷ユニットの内部の所定部分を外部から遮るように前記開閉足場に隣り合って設置されたカバーとされ、かつ、前記開閉足場の外形が該カバーの外形の延長部を構成していることを特徴とする。
【０００９】
印刷ユニットには、内部の所定部分、例えば、版胴、ブランケット胴、インキ装置等の回転体あるいはブランケット胴洗浄装置、インキロール洗浄装置等を外部から遮るように複数のカバーが、安全のためあるいは外見を向上させるために設けられている。
本発明によれば外見が整然とした開閉足場が、開放位置においてこれと隣り合うカバーの外形の延長部を構成するようにされているので、カバーと一体的に、すなわち、その延長部分を構成するように見られ、目立たなくすることができる。
したがって、印刷機の見栄えを向上させることができる。
【００１０】
また、本発明にかかる印刷機では、前記枢支軸はフレームに支持され、前記開閉足場は、揺動先端部が前記枢支軸に対して接近離隔するように移動可能とされていることを特徴とする。
【００１１】
このように、枢支軸はフレームに支持され、開閉足場は、揺動先端部が枢支軸に対して接近離隔するように移動可能とされているので、開放位置において開閉足場を下方へ移動させることができる。
開放位置において開閉足場を下方へ移動させると、開閉足場を一層目立たなくすることができる。
また、移動量を調節することによって、カバーの上端部に対する位置および形状を合致させることができる。
【００１２】
また、本発明にかかる印刷機では、前記枢支軸と前記開閉足場との間に圧縮ばねが介装されていることを特徴とする。
【００１３】
このように、枢支軸と開閉足場との間に圧縮ばねが介装されているので、開放位置およびその近傍位置において、圧縮ばねのばね力が大きく作用して開閉足場の重量を支持することとなる。
このため、開閉足場を上下方向に容易に移動させることができるので、開閉足場の開放位置への係止作業あるいはそこからの解除作業を容易に行うことができ、作業性を向上させることができる。
【００１４】
また、本発明にかかる印刷機では、前記圧縮ばねの最大荷重は、前記開閉足場の重量よりも小さく設定されていることを特徴とする。
【００１５】
このように、圧縮ばねの最大荷重は、開閉足場の重量よりも小さく設定されているので、開閉足場を開放位置に係止させた場合でも、枢支軸には圧縮ばねで支えきれない開閉足場の重量がかかっている。
このため、開閉足場に外力がかかっても開閉足場はこの重量によって容易には移動しないので、開閉足場を安定して開放位置に保持することができる。
【００１６】
また、本発明にかかる印刷機では、前記枢支軸は、前記開閉足場の両側に取り付けられていることを特徴とする。
【００１７】
このように、枢支軸は、開閉足場の両側に取り付けられているので、開閉足場の重量は両側の枢支軸によって支持されることになる。
このため、開閉足場のこじりが発生せず、あるいは発生したとしても容易に修正できるので、開閉作業の作業性を向上させることができる。
【００１８】
また、本発明にかかる印刷機では、前記開放位置における前記開閉足場の閉鎖方向への移動を規制する開放位置回り止め部と、前記閉鎖位置における前記開閉足場の閉鎖方向への移動を規制する閉鎖位置回り止め部とを有するストッパが備えられていることを特徴とする。
【００１９】
本発明によれば、開閉足場はストッパの開放位置回り止め部あるいは閉鎖位置回り止め部に係止させるだけで開放位置あるいは閉鎖位置に設置することができる。
閉鎖位置において開放位置側への移動が規制されていないので、開閉足場は枢支軸の回りに揺動することで移動させることができる。一方、開放位置において開閉足場を上方に移動させ、開放位置回り止め部との係合を解除すると移動が規制されなくなるので、閉鎖位置に移動させることができる。
このように、開閉足場を移動させる動きによってストッパとの係合を解除することができるので、開閉足場の開閉作業が容易に行なえる。また、開閉足場を取り扱う位置は限定されないので、作業員の都合に応じた場所で開閉作業を行うことができる。
このため、開閉足場の開閉作業の作業性を向上させることができる。
【発明の効果】
【００２０】
本発明によれば、開閉足場は箱型構造とされ、開放位置において印刷ユニット側の足場面が印刷ユニットの外側面に近接するようにされているので、印刷機の見栄えを向上させることができる。
【発明を実施するための最良の形態】
【００２１】
本発明の一実施形態について、図１〜図７を用いて説明する。
本実施形態は、本発明を枚葉印刷機（印刷機）１に適用したものである。
図１は、枚葉印刷機１の全体概略構成を操作側から見た正面図である。
枚葉印刷機１には、給紙装置３と、印刷部５と、排紙装置７とが備えられている。
【００２２】
給紙装置３には、給紙台９と、図示しない給紙機構と、給紙ロール１３と、フィーダボード１５とが備えられている。
給紙台９は、上下方向に移動可能に構成され、枚葉紙（印刷紙）１１を積層状態で保持する。
給紙機構は、積層された枚葉紙１１の上から順に一枚ずつ取上げて給紙ロール１３へ供給するものである。
給紙台９は、給紙機構が枚葉紙１１と略一定の位置関係を保つように枚葉紙１１の供給に対応して上動するように構成されている。
【００２３】
給紙ロール１３は、一対のロールで形成され、給紙機構によって供給される枚葉紙１１を挟持してフィーダボード１５上へ供給する機能を有している。
フィーダボード１５には、枚葉紙１１の姿勢および位置を調整する機構として、枚葉紙１１をフィーダボードに押付ける紙押え板３３，３３、枚葉紙１１の先端位置を規制する前当て３５および枚葉紙１１の幅方向位置を規制する図示しない横針装置が備えられている。（図２参照）
また、フィーダボード１５の下流側には、枚葉紙１１を加速して印刷部５に受け渡す、例えば、スインググリッパ等の受渡し部材が備えられている。
【００２４】
印刷部５には、印刷ユニット１７ａ、１７ｂ、１７ｃ、１７ｄが備えられている。
印刷ユニット１７ａ、１７ｂ、１７ｃ、１７ｄは、それぞれシアン、イエロー、マゼンダおよびスミを印刷し、これらの混色を利用してカラー印刷を行うものである。
印刷ユニット１７ａ、１７ｂ、１７ｃ、１７ｄは印刷する色毎に設けられているので、ユニット数は印刷する色数によって変化する。
【００２５】
印刷ユニット１７ａには、版胴１９と、ゴム胴２１と、圧胴２３と、中間胴２５とが備えられている。中間胴２５は円筒形状をしている。
印刷ユニット１７ｂ、１７ｃ、１７ｄには、版胴１９と、ゴム胴２１と、圧胴２３と、中間胴２７とが備えられている。
【００２６】
版胴１９、ゴム胴２１および圧胴２３は、この順に上から下に相互に接するように配置され、かつ、図１に示されるようにゴム胴２１が圧胴２３の直上ではなく、枚葉紙１１の搬送方向上流側にずれた配置、すなわち、版胴１９、ゴム胴２１、圧胴２３の回転中心が横断面視において同一直線状に並ばないような、ずれた配列とされている。
版胴１９は、周面に印刷画像を形成するための刷版を装着している。
版胴１９の周囲には、図示を省略しているが、刷版の画線部にインキを供給するインキ装置および非画線部に湿し水を供給する湿し装置が備えられている。
【００２７】
ゴム胴２１は、周面に弾性材料で形成されたブランケットが装着されている。ゴム胴２１は、版胴１９から刷版に形成された印刷画像を転写され、それを枚葉紙１１に転写するものである。
圧胴２３は、版胴１９およびゴム胴２１の直径の２倍の直径を有する、いわゆる倍胴仕立てとされている。
圧胴２３の周面には、枚葉紙１１の先端を保持する爪装置（図示省略）が軸線中心を挟んで２ヶ所に備えられている。
【００２８】
中間胴２７は、圧胴２３の上流側に配置されている。中間胴２７は、版胴１９およびゴム胴２１の直径の２倍の直径を有する、いわゆる倍胴仕立てとされている。
枚葉紙１１は、中間胴２５，２７および圧胴２３へそれぞれの爪装置に咥え替えされることによって各印刷ユニット１７ａ、１７ｂ、１７ｃ、１７ｄを通して搬送される。
【００２９】
印刷ユニット１７ａ、１７ｂ、１７ｃ、１７ｄの筐体であるフレーム構造３７には、図１に示すように、ゴム胴２１、版胴１９、インキ装置、湿し装置などが内部に配置される突起部３９が形成されている。
また、フレーム構造３７の操作側には操作側フレーム（フレーム）４１が、駆動側には駆動側フレーム（フレーム）４３が備えられている。
【００３０】
ゴム胴２１の給紙装置３側には、印刷作業の終了時あるいはインキを交換する時に、ゴム胴２１の周面に装着されたブランケットの表面を洗浄するブランケット洗浄装置４５が備えられている。
ブランケット洗浄装置４５は、突起部３９の下端部にゴム胴２１の略全長をカバーするように設置されている。ブランケット洗浄装置４５の給紙装置３側は、ブランケット洗浄装置カバー（カバー）４７によって覆われ、外部から遮られている。
ブランケット洗浄装置カバー４７は、突起部３９における下端部分から外側に突出するように設けられている。
ブランケット洗浄装置カバー４７の突出部の外形は、略直方体形状をし、上部は給紙装置３側に向けて高さが低くなるように傾斜されている。
【００３１】
前当て３５の上方には、前当てカバー４９が下部を中心に揺動可能に備えられている。
前当てカバー４９は、上方に揺動した図２において実線で示される位置で、手などが中間胴２５の部分に接近するのを防止する機能を奏するものである。
【００３２】
排紙装置５には、チェーングリッパ２９と、排紙台３１とが備えられている。
チェーングリッパ２９は、印刷ユニット１７ｄの圧胴２３隣接位置と排紙台３１の上方位置とを循環移動する一対のチェーン２８と、その間を連結するくわえ棒３０と、くわえ棒３０に所定間隔を空けて設置された爪装置と、を備え、印刷ユニット１７ｄの圧胴２３から枚葉紙１１を受取って排紙台３１の上方位置まで搬送するものである。
排紙台３１は、上下方向に移動可能に構成され、チェーングリッパ２９から排出される枚葉紙１１を積層して保持する。
排紙台３１は、枚葉紙１１の落下距離が略一定となるように徐々に下動するように制御されている。
【００３３】
フィーダボード１５の下流部上方に、ブランケット洗浄装置カバー４７と隣り合って開閉足場装置５１が備えられている。
開閉足場装置５１には、開閉足場５３と、一対の支持部５５と、一対のストッパ５７とが備えられている。
【００３４】
各支持部５５は、支持部材５９と支持ピン（枢支軸）６１とで構成されている。
支持部材５９は、略矩形状をし、印刷ユニット１７ａのブランケット洗浄装置カバー４７の給紙装置３側における操作側フレーム４１あるいは駆動側フレーム４３の内側上端部に固定して取り付けられている。
支持ピン６１は、略円柱形状をし、その一端部が支持部材５９の印刷ユニット１７ａ側の上部に固定され、他端部が内側に向けて略水平に突出するように取り付けられている。
【００３５】
ストッパ５７は、各支持部材５９の印刷ユニット１７ａ側に配置され、操作側フレーム４１あるいは駆動側フレーム４３に固定して取り付けられている。
ストッパ５７は、側面視において爪先が支持部材５９側に位置する長靴形状をしている。ストッパ５７の前面（支持部材５９側の面）には、上から脛にあたる部分である第一係止面（閉鎖位置回り止め部）６３、足の甲にあたる部分である第二係止面６５および爪先にあたる部分である第三係止面（開放位置回り止め部）６７が形成されている。（図４参照）
【００３６】
開閉足場５３には、上部板６９と、下部板７１と、保持部７３とが備えられている。
上部板６９は、開閉足場５３の足場面７５を構成するものである。上部板６９は略矩形状をした平板であり、長手方向が印刷ユニット１７ａの幅方向に沿うように配置されている。
上部板６９の長手方向の長さは、ブランケット洗浄装置カバー４７の長さと略同等とされ、両端部は操作側フレーム４１および駆動側フレーム４３に係合する大きさとされている。
【００３７】
下部板７１は、略矩形状の板材で、その両長辺部が同一方向に曲げられた形状をしている。下部板７１の一長辺部は略直角に曲げられ、基部７６を構成する。下部板７１の他長辺部はブランケット洗浄装置カバー４７の上部４８の傾斜と略同等の傾斜を有するように曲げられ、開閉足場５３の先端面（揺動先端部）７７を構成する。
下部板７１の長辺部の長さは、操作側フレーム４１および駆動側フレーム４３の間隔と略同等の大きさとされている。
下部板７１の端部と上部板６９の端部とが溶接され、さらに両者の間の長手方向端部の開放部が板材で閉じられ、箱型構造が形成されている。
上部板６９と下部板７１との空間部分には、複数箇所に補強材が介装されている。
【００３８】
このように、開閉足場５３は箱型構造とされているので、それ自体で十分な強度を保持することができる。
また、強度の補強が必要な場合には箱型構造の内部に補強材を設けることができるので、開閉足場５３は外側に突出した部材をなくすことができる。
このため、開閉足場５３は外見を整然とさせることができる。
【００３９】
保持部７３は、開閉足場５３の操作側フレーム４１側端部分および駆動側フレーム４３側端部分にそれぞれ設けられ、支持ピン６１と係合し、開閉足場５３を保持するものである。操作側の保持部７３と駆動側の保持部７３とは、鏡映の関係にあるので、ここでは操作側の保持部７３について説明する。
保持部７３には、側板７９と、固定ブラケット８１と、固定バネガイド８３と、側ガイド板８５と、門型バネガイド８７と、圧縮ばね８９とが備えられている。
【００４０】
側板７９は、矩形状の板材で、面が支持ピン６１と略直交するように配置されている。側板７９は、基部７６から先端面７７の近くまで延在し、長辺部が上部板６９と下部板７１とに固定されている。
側板７９の基部７６側には、支持ピン６１が挿入される長穴９１が設けられている。長穴９１は基部７６の近傍から側板７９の略中間位置まで設けられ、その幅は、支持ピン６１の直径と略同等の大きさとされている。
【００４１】
側板７９の先端面７７側の端部には、側板７９と略直交するように固定ブラケット８１が固定して取り付けられている。
固定ブラケット８１の基部７６側には、略円筒形状をした固定バネガイド８３が、軸線が側板７９の面に沿うように固定して取り付けられている。
固定ブラケット８１の操作側フレーム４３側には、側ガイド板８５が上部板６９に固定されている。側ガイド板８５は、端面が側板７９と略平行するように基部７６から先端面７７に到るまで延設されている。
【００４２】
門型バネガイド８７は、略円筒形状をしたバネガイド部９３と、断面が略Ｊ字形状をした門型保持部９５と、が長手方向に連接されて構成されている。
門型バネガイド８７の一端を形成する門型保持部９５は、その開放部分は支持ピン６１に嵌合し、上部板６９の内側面、下部板７１の内側面、側板７９の面および側ガイド板の端面と接し摺動可能に保持されている。
バネガイド部９３は固定バネガイド８３と略同等の直径とされ、かつ、それらの軸線中心が略同一となるようにされている。
【００４３】
圧縮ばね８９は、コイル型で、固定バネガイド８３およびバネガイド部９３の外側面に案内されるように固定ブラケット８３と門型保持部９５との間に介装されている。
圧縮ばね８９の最大荷重は、開閉足場５３の重量よりも、例えば、略１０％小さくされている。この略１０％は、あくまで例示であり、圧縮ばね８９の最大荷重は、開閉足場５３の重量よりも小さい範囲で適宜選択される。
下部板７１の基部７６には、ストッパ５７の内側部分に相当する位置に係止板９７が固定されている。
【００４４】
以上、説明した本実施形態にかかる枚葉印刷機１の動作について説明する。
まず、枚葉印刷機１の印刷動作について説明する。
給紙装置３の給紙台９に積載された厚い枚葉紙１１は、給紙機構によって最上部から１枚ずつ取り出され、給紙ロール１３のニップ部に供給される。
給紙ロール１３によってフィーダボード１５上を搬送される枚葉紙１１は、フィーダボード１５の下流端に設置された前当て３５および横針によって姿勢が調整される。
【００４５】
スインググリッパ（図示略）は、前当て３５に当接して静止した枚葉紙１１を爪でくわえて加速しながら連続回転している印刷ユニット１７ａの中間胴２５のほうに振り子運動をする。
枚葉紙１１は、スインググリッパから中間胴２５の爪装置２６にくわえ替えされ、次いで中間胴２５から圧胴２３へくわえ替えされる。
印刷ユニット１７ａでは、版胴１９の周面に取付けられた刷版の非画線部に湿し装置から水を供給し、次いで刷版の画線部にインキ供給装置からインキを供給する。
これにより得られる刷版上の印刷画像がゴム胴２１に転写される。
ゴム胴２１に転写された印刷画像は、圧胴２３によって運ばれる枚葉紙１１に転写され、１色目の印刷が行われる。
【００４６】
印刷ユニット１７ａで１色目が印刷された枚葉紙１１は、印刷ユニット１７ａの圧胴２３から印刷ユニット１７ｂの中間胴２７へ受け渡され、次いで、印刷ユニット１７ｂの圧胴２３へ受け渡される。
印刷ユニット１７ｂでは、印刷ユニット１７ａと同様に、版胴１９で形成されゴム胴２１に転写された印刷画像が圧胴２３によって運ばれる枚葉紙１１に転写され、２色目の印刷が行われる。
これが各印刷ユニット１７ｃ、１７ｄで繰り返されカラー印刷される。
【００４７】
印刷部５で印刷された枚葉紙１１は印刷ユニット１７ｄの圧胴２３からチェーングリッパ２９のくわえ棒３０にくわえ替えされる。くわえ棒３０で搬送される枚葉紙１１は、排紙台３１の上方でくわえを外され、落下し、排紙台３１上に積み上げられる。
このとき、未乾燥のインキが上側の枚葉紙１１の裏に写るのを防止するため、枚葉紙１１の上にパウダが噴霧される。
【００４８】
次に、開閉足場５３の動作について説明する。
開閉足場５３は、作業を行う足場として用いられる場合には、図５に示されるように足場面７５が略水平を保持する閉鎖位置Ｈに位置させられる。
この時、係止板９７の外側面がストッパ５７の第一係止面６３に当接され、ストッパ５７は開閉足場５３の下方（閉鎖方向）への移動を規制している。
また、固定ブランケット８１は圧縮ばね８９によって押されているため、固定ブランケット８１とともに開閉足場５３が図５における右側に移動している。これに伴い側板７９の長穴９１が同方向に移動するため、支持ピン６１は長穴９１の基部７６側端に位置している。
【００４９】
足場を使った作業が終了して印刷作業を行う場合には、開閉足場５３は閉鎖位置Ｈから開放位置Ｋへと開放される。
閉鎖位置Ｈでは、ストッパ５７は開閉足場５３の下方への移動を制限しているだけで、上方への移動を制限していない。そのため、作業員は閉鎖位置Ｈにある開閉足場５３を掴み、上方へ持上げると、開閉足場５３は支持ピン６１を支点として上方へ揺動する。
開閉足場５３の足場面７５が略鉛直となる位置ＫＫ（図６参照）まで持上げる。次いで、その状態で開閉足場５３を下方に移動させる。
【００５０】
開閉足場５３を下方へ移動させると、開閉足場５３の重量が圧縮ばね８９の最大荷重よりも大きいので、長穴９１が支持ピン６１に案内され、開閉足場５３は支持ピン６１が長穴９１の先端面７７側の端部に到るまで下方へ降下する。
この時、開閉足場５３の傾斜角度が大きく、すなわち、足場面７５が鉛直に近くなる程、圧縮ばね８９が開閉足場５３の重量を支える割合が大きくなるので、徐々に開閉足場５３を操作する負荷が軽減され、開放作業を容易とすることができる。
例えば、開閉足場５３を下降させる場合、負荷が小さいとゆっくりと降下させることができ、長穴９１の先端面７７側の端部と支持ピン６１との急激な衝突を避け、衝撃音の発生を防止できる。
【００５１】
支持ピン６１が長穴９１の先端面７７側の端部に到ると、開閉足場５３は支持ピン６１によって支持されるので、降下は停止する。すなわち、開閉足場５３は開放位置Ｋに位置させられたことになる。
この開放位置Ｋでは、足場面７５がストッパ５７の第三係止面６７に係合するので、開閉足場５３は図６における右方への揺動（閉鎖方向への移動）を規制されることになる。
足場面７５は、ブランケット洗浄装置カバー４７の外側面に近接して位置しているので、開閉足場５３の図６における左方への揺動はブランケット洗浄装置カバー４７によって規制されることになる。
【００５２】
また、圧縮ばね８９の最大荷重は、開閉足場５３の重量よりも小さく設定されているので、支持ピン６１には圧縮ばね８９で支えきれない開閉足場５３の重量がかかっている。
このため、開閉足場５３に外力がかかっても開閉足場はこの重量によって容易には移動しないので、ストッパ５７およびブランケット洗浄装置カバー４７による揺動規制と相まって開閉足場５３を安定して開放位置Ｋに保持することができる。
【００５３】
開放位置Ｋでは、開閉足場５３の先端面７７が、傾斜角が同じとされたブランケット洗浄装置カバー４７の上部４８の延長部を構成するようにされている。
このように、外側に突出した部材がなく、箱型構造とされ外見が整然とした開閉足場５３が、開放位置Ｋにおいてこれと隣り合うブランケット洗浄装置カバー４７の外形の延長部を構成するようにされているので、ブランケット洗浄装置カバー４７と一体的に、すなわち、その延長部分を構成するように見られ、目立たなくすることができる。
したがって、枚葉印刷機１の見栄えを向上させることができる。
【００５４】
印刷作業は、開閉足場５３が開放位置Ｋに位置している時に行なわれる。開閉足場５３が開放位置Ｋに位置している場合には、開閉足場５３の下部は設置位置における操作側フレーム４１および駆動側フレーム４３の上面よりも下側、すなわち、印刷ユニット１７ａの内部に入り込んでいる。
このため、開閉足場５３の下部は、手などが中間胴２５の部分に接近するのを防止する機能を果たすことになる。すなわち、前当てカバー４９の機能を部分的に代行することができる。
【００５５】
印刷作業が終了して開閉足場５３を用いた作業を行う場合には、開放位置Ｋにある開閉足場５３を位置ＫＫまで持上げる。これは、圧縮ばね８９が開閉足場５３の重量を支えるので、容易に持上げることができる。
こうすると、足場面７５および係止板９７がストッパ５７の第三係止面６９と係合しなくなり、開閉足場５３の図６における右方への揺動を規制しなくなる。
この状態で、支持ピン６１を中心として開閉足場５３を閉鎖位置Ｈ側に揺動させる。係止板９７の外側面がストッパ５７の第一係止面６３に当接されると、開閉足場５３の下方への移動が制限され、閉鎖位置Ｈに位置することとなる。
【００５６】
このように、閉鎖位置Ｈから開放位置Ｋへ、開放位置Ｋから位置ＫＫへと開閉足場５３を移動させる動きによってストッパ５７との係合を解除することができるので、開閉足場５３の開閉作業が容易に行なえる。
また、これにより開閉足場５３を取り扱う位置は限定されないので、作業員の都合に応じた場所で開閉作業を行うことができる。
このため、開閉足場の開閉作業の作業性を向上させることができる。
【００５７】
例えば、中間胴２５の爪装置２６に潤滑剤を供給する作業を行う場合、図２に示されるように開閉足場５３とフィーダボード１５との間にグリスガン９９を挿入して行なう。この際、開閉足場５３が開放位置Ｋにある場合には、開閉足場５３の下部が、閉鎖位置Ｈにある場合には、開閉足場５３の先端部がグリスガン９９の挿入を制限して作業がし難い状況となる。
この場合、図７に示されるように係止板９７の外側面がストッパ５７の第二係止面６５に係合するようにし、開閉足場５３を中間位置Ｃに位置させる。この中間位置Ｃでは、開閉足場５３は、開放位置Ｋと略同等にブランケット洗浄装置カバー４７に近づき、かつ、ストッパ５７より下方に突出することがなくなるので、グリスガン９９の作業が容易に行なえる。
【００５８】
開閉足場５３の保持部７３は、開閉足場５３の操作側端部および駆動側端部に取り付けられ、それらが圧縮ばね８９を介して支持ピン６１によって支持されているので、両側で略均等な荷重を負担することになる。
このため、開閉足場５３を位置ＫＫと開放位置Ｋとの間で移動させる場合にこじりが発生せず、あるいは発生したとしても容易に修正できるので、開閉作業の作業性を向上させることができる。
【００５９】
なお、本実施形態では、開閉足場５３の形状が開放位置Ｋにおいてブランケット洗浄装置カバー４７の延長部を構成するようにしているが、これに限定されるものではない。
例えば、ブランケット洗浄装置カバー４７のように突起部３９の下部位置に印刷ユニット１７ａから外側に突出する部材がない場合には、開閉足場５３は開放位置においてその足場面７５が印刷ユニット１７ａの外側面に近接するように設置してもよい。
この場合でも、印刷作業中に開閉足場５３が開放位置に位置された場合に、開閉足場５３は印刷ユニット１７ａと一体的に構成されているように見られ、目立つことがないので、印刷機の見栄えを向上させることができる。
また、開放位置において開閉足場５３を下方へ移動させることができるので、開閉足場５３を一層目立たなくすることができる。
【００６０】
本実施形態では、開閉足場装置５１を印刷ユニット１７ａの給紙装置３側に設けているが、各印刷ユニット１７ａ，１７ｂ，１７ｃ，１７ｄの間および印刷ユニット１７ｄの排紙装置７側に設けるようにしてもよい。
【図面の簡単な説明】
【００６１】
【図１】本発明の一実施形態にかかる枚葉印刷機の概略構成を示す操作側から見た正面図である。
【図２】本発明の一実施形態にかかる開閉足場装置の設置状況を示す部分正面図である。
【図３】本発明の第一実施形態にかかる開閉足場装置の概略構成を示す平面図である。
【図４】本発明の一実施形態にかかるストッパの概略構成を示す斜視図である。
【図５】図３のＸ−Ｘ断面図である。
【図６】本発明の一実施形態にかかる開閉足場装置の開放位置での状況を示す図５と同様な部分の断面図である。
【図７】本発明の一実施形態にかかる開閉足場装置の中間位置での状況を示す図５と同様な部分の断面図である。
【図８】従来の開閉足場を示す断面図である。
【符号の説明】
【００６２】
１  枚葉印刷機
１７  印刷ユニット
４１  操作側フレーム
４３  駆動側フレーム
４７  ブランケット洗浄装置カバー
５３  開閉足場
５７  ストッパ
６１  支持ピン
６３  第一係止面
６７  第三係止面
７５  足場面
８９  圧縮ばね
Ｈ  閉鎖位置
Ｋ  開放位置
【図１】
2007229968.tif 000003
【図２】
2007229968.tif 000004
【図３】
2007229968.tif 000005
【図４】
2007229968.tif 000006
【図５】
2007229968.tif 000007
【図６】
2007229968.tif 000008
【図７】
2007229968.tif 000009
【図８】
2007229968.tif 000010